(57)【要約】      （修正有）【課題】ストラップ取付部を持たない情報機器端末において、ストラップを強固に取付け可能としたストラップ取付具を提供する。【解決手段】情報機器端末のイヤホンジャックと、コネクタ受承部とを利用してストラップ取付部１４を固定する。そのために、イヤホンジャックに挿入されたときそこに抜き取り可能に保持される第一挿入部１１と、コネクタ受承部に挿入されたときそこに抜き取り可能に保持される第二挿入部１２と、２つの挿入部１１、１２を連結固定する連結部１３と、ストラップを取り付ける孔１４ａを有して連結部１３と一体化されたストラップ取付部１４とからストラップ取付具１０を構成する。連結部１３は、第一挿入部１１がイヤホンジャックに、第二挿入部１２がコネクタ受承部に相並行して挿入され得るように挿入部１１、１２を同じ向きに突出させて固定するように形成する。【選択図】図１
0003180740.tif 000002
【実用新案登録請求の範囲】
【請求項１】
挿入されたイヤホンプラグに弾力的に係合する第一係合部を有して、挿入されたイヤホンプラグを抜き取り可能に保持するイヤホンジャックと、
挿入された外部機器接続用コネクタに弾力的に係合する第二係合部を有して、挿入された外部機器接続用コネクタを抜き取り可能に保持するコネクタ受承部とを有し、
前記イヤホンジャックにおけるイヤホンプラグの挿入方向と、前記コネクタ受承部における外部機器接続用コネクタの挿入方向とが互いに同じ方向とされている情報機器端末にストラップを取り付けるためのストラップ取付具であって、
前記第一係合部が弾力的に係合する部分を有して、前記イヤホンジャックに挿入されたときそこに抜き取り可能に保持される第一挿入部と、
前記第二係合部が弾力的に係合する部分を有して、前記コネクタ受承部に挿入されたときそこに抜き取り可能に保持される第二挿入部と、
前記第一挿入部が前記イヤホンジャックに、前記第二挿入部が前記コネクタ受承部に相並行して挿入され得るように、これらの挿入部を同じ向きに突出させて固定した連結部と、
ストラップを取り付ける部分を有して前記連結部と一体化されたストラップ取付部とを備えてなるストラップ取付具。
【請求項２】
前記第一挿入部が、前記イヤホンプラグと略同一の形状とされていることを特徴とする請求項１記載のストラップ取付具。
【請求項３】
前記第二挿入部が、前記外部機器接続用コネクタと略同一の形状とされていることを特徴とする請求項１または２記載のストラップ取付具。
【請求項４】
前記連結部に、ストラップ取付具が情報機器端末に取り付けられた際に、該情報機器端末に設けられた音声通過用の穴と整合する貫通孔が形成されていることを特徴とする請求項１から３いずれか１項記載のストラップ取付具。
【考案の詳細な説明】
【技術分野】
【０００１】
本考案は、情報機器端末、主に携帯電話や携帯型音楽プレーヤのような小型の情報機器端末にストラップを取り付けるためのストラップ取付具に関するものである。
【背景技術】
【０００２】
従来、例えば特許文献１に示されるように、携帯電話や携帯型音楽プレーヤのような小型の情報機器端末にはストラップ取付部が設けられ、そこにストラップを取り付けることが可能になっている。
【先行技術文献】
【特許文献】
【０００３】
【特許文献１】特開２００１−２１１６２７号公報
【考案の概要】
【考案が解決しようとする課題】
【０００４】
しかし情報機器端末の中には、ストラップ取付部が設けられていないものや、ストラップ取付部が設けられていてもそこからストラップが脱落しやすくなっているものも数多く存在する。
【０００５】
本考案は上記の事情に鑑みてなされたものであり、ストラップ取付部を持たない情報機器端末や、あるいは、ストラップを強固に取り付けることが困難になっている情報機器端末に対して、ストラップを強固に取付け可能とするストラップ取付具を提供することを目的とする。
【課題を解決するための手段】
【０００６】
本考案によるストラップ取付具は、多くの情報機器端末はイヤホンプラグを受承するイヤホンジャックと、外部機器接続用コネクタを受承するコネクタ受承部とを有していることに着目し、それらを利用して情報機器端末に保持され得るように構成したものである。
【０００７】
すなわち、本考案によるストラップ取付具は、
挿入されたイヤホンプラグに弾力的に係合する第一係合部を有して、挿入されたイヤホンプラグを抜き取り可能に保持するイヤホンジャックと、
挿入された外部機器接続用コネクタに弾力的に係合する第二係合部を有して、挿入された外部機器接続用コネクタを抜き取り可能に保持するコネクタ受承部とを有し、
前記イヤホンジャックにおけるイヤホンプラグの挿入方向と、前記コネクタ受承部における外部機器接続用コネクタの挿入方向とが互いに同じ方向とされている情報機器端末にストラップを取り付けるためのストラップ取付具であって、
前記第一係合部が弾力的に係合する部分を有して、前記イヤホンジャックに挿入されたときそこに抜き取り可能に保持される第一挿入部と、
前記第二係合部が弾力的に係合する部分を有して、前記コネクタ受承部に挿入されたときそこに抜き取り可能に保持される第二挿入部と、
前記第一挿入部が前記イヤホンジャックに、前記第二挿入部が前記コネクタ受承部に相並行して挿入され得るように、これらの挿入部を同じ向きに突出させて固定した連結部と、
ストラップを取り付ける部分を有して前記連結部と一体化されたストラップ取付部とを備えてなることを特徴とするものである。
【０００８】
なお、上記の第一挿入部は、イヤホンプラグと略同一の形状とされていることが望ましい。
【０００９】
また上記の第二挿入部は、外部機器接続用コネクタと略同一の形状とされていることが望ましい。
【００１０】
また上記の連結部には、ストラップ取付具が情報機器端末に取り付けられた際に、該情報機器端末に設けられた音声通過用の穴と整合する貫通孔が形成されていることが望ましい。
【考案の効果】
【００１１】
本考案によるストラップ取付具は、
イヤホンジャックに形成された第一係合部が弾力的に係合する部分を有して、該イヤホンジャックに挿入されたときそこに抜き取り可能に保持される第一挿入部と、
外部機器接続用コネクタを受承するコネクタ受承部に形成された第二係合部が弾力的に係合する部分を有して、該コネクタ受承部に挿入されたときそこに抜き取り可能に保持される第二挿入部と、
第一挿入部がイヤホンジャックに、第二挿入部がコネクタ受承部に相並行して挿入され得るように、これらの挿入部を同じ向きに突出させて固定した連結部とを備えてなるものであるので、
第一挿入部をイヤホンジャックに、そして第二挿入部をコネクタ受承部にそれぞれ係合させることにより、情報機器端末にストラップ取付具を強固に取り付け可能となる。
【００１２】
そして上記連結部には、ストラップを取り付ける部分を有するストラップ取付部が一体化されているので、ここにストラップを取り付ければ、結局、情報機器端末に対してストラップが強固に取り付けられることになる。
【図面の簡単な説明】
【００１３】
【図１】本考案の第１の実施形態によるストラップ取付具と、取付対象の情報機器端末とを示す斜視図
【図２】図１のストラップ取付具を別の方向から見て示す斜視図
【図３】図１に示した情報機器端末の要部を示す斜視図
【図４】本考案の第２の実施形態によるストラップ取付具を示す斜視図
【図５】本考案の第３の実施形態によるストラップ取付具を示す斜視図
【考案を実施するための形態】
【００１４】
以下、図面を参照して本考案の実施形態を詳細に説明する。図１は、本考案の第１の実施形態によるストラップ取付具１０を、その取付け対象の情報機器端末１と共に示すもものであり、図２は、そのストラップ取付具１０を図１中で手前側にひっくり返した状態で示すものである。また図３は上記情報機器端末１の一部を、そこに接続される機器類と共に示すものである。
【００１５】
まず図１および図３を参照して、情報機器端末１とそれに接続されるイヤホンプラグ８０および外部機器接続用コネクタ８１（以下、単に「コネクタ」という）について説明する。
【００１６】
情報機器端末１は一例として携帯電話であり、全体として四隅が丸みを帯びた薄い直方体状に形成されており、その表面にはタッチスクリーン画面７１や操作ボタン７２等が形成されている。またこの情報機器端末１の４つの側面のうち下側面１ａには、１つのイヤホンプラグ挿入孔７３、複数の小孔７４および１つのコネクタ挿入孔７５が設けられている。上記複数の小孔７４は、その近くにおいて情報機器端末１に内蔵されたマイクロフォン（図示せず）に、通話者の声等の音声が良く届くようにするために設けられたものである。
【００１７】
また情報機器端末１内には、図３に示すようなイヤホンジャック７６およびコネクタ受承部７７が設けられている。上記イヤホンプラグ挿入孔７３はイヤホンジャック７６に挿入されるイヤホンプラグ８０の先端部を通過させるために、そして上記コネクタ挿入孔７５はコネクタ受承部７７に挿入されるコネクタ８１の先端部を通過させるために設けられている。
【００１８】
イヤホンジャック７６は、先端に近いところが「く」の字状に曲げられた板バネからなる係合部７６ａを有している。イヤホンプラグ挿入孔７３を通してイヤホンジャック７６にイヤホンプラグ８０が挿入されると、該イヤホンプラグ８０の先端近くの小径部に上記曲げられた部分が弾力的に係合し、それによりイヤホンプラグ８０はこのイヤホンジャック７６に保持される。このとき、係合部７６ａと上記小径部は電気的に導通可能となり、さらにイヤホンプラグ８０側の複数の接触部分とイヤホンジャック７６側の複数の接触部分とがそれぞれ電気的に導通可能となる。そこで、それらの接触部分並びにイヤホンコード７８を介して、情報機器端末１内のイヤホン回路（図示せず）とイヤホン７９とが電気的に接続される。
【００１９】
その状態から、イヤホンプラグ８０をある程度強い力で挿入方向と反対方向に引けば、係合部７６ａが弾性変形して上記係合が解かれ、イヤホンプラグ８０をイヤホンジャック７６から抜き取ることができる。ここで上記係合部７６ａは、本考案における第一の係合部を構成している。
【００２０】
他方コネクタ８１は、先端部に形成された薄板状のコネクタ片８２と、ＵＳＢ端子８４と、それら両者を接続するコード８３とからなる。コネクタ片８２の左右両側面には、係合穴８２ａ（図３では一方のみ表示）が形成されており、またコネクタ片８２の表面および裏面には複数の接点８２ｂが形成されている。コード８３は、互いに絶縁された複数の導線を含んで構成されており、それらの導線の各一端は上記接点８２ｂに、各他端はＵＳＢ端子８４に接続されている。
【００２１】
上記コネクタ片８２がコネクタ挿入孔７５を通してコネクタ受承部７７に挿入されると、コネクタ受承部７７内に設けられた例えば２つの板バネからなる係合部７７ａが、上記係合穴８２ａに弾力的に係合し、コネクタ８１が情報機器端末１に保持される。このとき、コネクタ片８２の複数の接点８２ｂと、情報機器端末１側の図示外の複数の接点とが接触して、互いに電気的に導通可能となる。そこで、この状態下でＵＳＢ端子８４が、パーソナル・コンピュータ等の図示外の外部機器のＵＳＢポートに接続されると、その外部機器と情報機器端末１とが電気的に接続される。
【００２２】
そしてその状態から、コネクタ片８２をある程度強い力で挿入方向と反対方向に引けば、係合部７７ａが弾性変形して上記係合が解かれ、コネクタ片８２をコネクタ受承部７７から抜き取ることができる。ここで、上記係合部７７ａは、本考案における第二の係合部を構成している。なお、コネクタ受承部７７に対するコネクタ片８２の挿入方向は、イヤホンジャック７６に対するイヤホンプラグ８０の挿入方向と同じである。
【００２３】
次に、図１および図２を参照して、ストラップ取付具１０について説明する。図示の通りこのストラップ取付具１０は、イヤホンプラグ８０と同一の形状とされた第一挿入部１１と、コネクタ８１のコネクタ片８２と同一の形状とされた第二挿入部１２と、これらの挿入部１１および１２を互いに同じ向きに突出させて固定した連結部１３と、穴１４ａを有して連結部１３と一体化されたストラップ取付部１４とを有している。連結部１３には、後述するようにしてストラップ取付具１０が情報機器端末１に保持された際に、情報機器端末１の前記複数の小孔７４と整合する複数の貫通孔１３ａが設けられている。ストラップ取付部１４には、その穴１４ａを利用してストラップ１５を取り付けることができる。
【００２４】
なお第一挿入部１１と第二挿入部１２との中心間隔は、情報機器端末１におけるイヤホンジャック７６とコネクタ受承部７７との中心間隔と共通とされている。また本例において第一挿入部１１は、イヤホンプラグ８０と外形が同じだけではなく、イヤホンジャック７６側と接触する金属製部分もイヤホンプラグ８０と同様に設けられている。また第二挿入部１２の左右両側面には、コネクタ片８２の係合穴８２ａと同様の係合穴１２ａ（図１、２では一方のみ表示）が形成され、またその表面および裏面には、コネクタ片８２の接点８２ｂと同様の複数のダミー接点１２ｂが形成されている。
【００２５】
上記構造を有するストラップ取付具１０は、第一挿入部１１がイヤホンプラグ挿入孔７３に、そして第二挿入部１２がコネクタ挿入孔７５に入る状態にした後、連結部１３を情報機器端末１側に押し込むことにより、情報機器端末１に保持される。すなわち、このとき第一挿入部１１はイヤホンジャック７６の係合部７６ａと弾力的に係合し、そして第二挿入部１２はコネクタ受承部７７の係合部７７ａと弾力的に係合して、それらに強固に保持される。なお、前者の係合はイヤホンプラグ８０と係合部７６ａとの係合と同様にしてなされ、後者の係合はコネクタ片８２と係合部７７ａとの係合と同様にしてなされる。
【００２６】
以上の通りにして情報機器端末１にストラップ取付具１０を一体化させれば、情報機器端末１にストラップ１５が取り付けられた状態となる。このとき情報機器端末１に対するストラップ取付具１０の保持は、第一挿入部１１および第二挿入部１２の２箇所においてなされるので、強固なものとなる。したがって、ストラップ１５を持って情報機器端末１をぶら下げるような状態になっても、情報機器端末１からストラップ取付具１０が簡単に外れてしまうようなことはない。
【００２７】
この状態から、例えば連結部１３をある程度強い力で情報機器端末１から引き離すようにすれば、上記２箇所での係合が解かれるので、情報機器端末１からストラップ取付具１０を外すことができる。
【００２８】
なお、第一挿入部１１をイヤホンプラグ８０と全く同じように形成しておくことは必ずしも必要ではなく、イヤホンジャック７６の係合部７６ａと弾力的な係合を果たす上で有効な概略同一の外形（本考案における「イヤホンプラグと略同一の形状」とは、このことを意味するものとする）としてもよい。また第二挿入部１２も同様であって、コネクタ受承部７７の係合部７７ａと弾力的な係合を果たす上で有効な概略同一の外形（本考案における「外部機器接続用コネクタと略同一の形状」とは、このことを意味するものとする）としてもよい。したがって、例えば第一挿入部１１と第二挿入部１２とを、連結部１３およびストラップ取付部１４と共に合成樹脂等から一体成形しても構わない。
【００２９】
さらには、第一挿入部１１の全体形状をイヤホンプラグ８０の全体形状とは異なるものとして、イヤホンジャック７６の係合部７６ａと弾力的な係合を果たす部分のみをイヤホンプラグ８０の形状と同じにしてもよい。また第二挿入部１２の全体形状をコネクタ片８２の全体形状とは異なるものとして、コネクタ受承部７７の係合部７７ａと弾力的な係合を果たす部分のみをコネクタ片８２の形状と同じにしてもよい。
【００３０】
しかし、本実施形態のようにしておけば、第一挿入部１１や第二挿入部１２の係合保持がより確実になされ、またそれらによって情報機器端末１側の接点が損傷を受けるようなことも起こり難くなる。
【００３１】
また本実施形態においては前述した通り、連結部１３に貫通孔１３ａが設けられているので、情報機器端末１にストラップ取付具１０が固定されたままでも、情報機器端末１に内蔵されたマイクロフォンに、これらの貫通孔１３ａおよび小孔７４を通して、通話者の声等の音声が良く届くようになっている。
【００３２】
なお、情報機器端末１に内蔵スピーカーからの音を良好に外部に伝えるための穴が形成された場合は、情報機器端末１にストラップ取付具１０が固定された際に連結部１３がそれらの穴の上を覆う状態になることもあり得る。そのような場合には、それらの穴と整合する貫通孔を連結部１３に形成して、それらの貫通孔を通して内蔵スピーカーからの音が良好に外部に伝わるようにするのが望ましい。
【００３３】
またストラップ取付部としては、先に説明したように連結部１３と一体的に形成されるストラップ取付部１４に限らず、その他の構造のものも適用可能である。例えば図４に示す第２の実施形態のストラップ取付具２０におけるように、連結部１３とは別体に形成されて、ネジ２５によって連結部１３に固定されるタイプのストラップ取付部２４等も適用可能である。なお図４において、図１〜３中の要素と同等の要素には同番号を付してあり、それらについての重複した説明は省略する（以下、同様）。
【００３４】
さらには、図５に示す第３の実施形態のストラップ取付具３０におけるように、連結部１３の一部に溝１３ｂと、その溝１３ｂの上に架け渡された棒状部分１３ｃとを形成して、それらによりストラップ取付部３４を構成することもできる。この場合は、図示のように棒状部分１３ｃにストラップ１５を取り付けることができる。
【００３５】
また本考案のストラップ取付具は、外部機器接続用コネクタとして前述のコネクタ８１以外のコネクタ、例えば３０ピンタイプのコネクタや、丸形コネクタが接続される情報機器端末を対象として構成することも可能である。
【００３６】
また、以上説明した実施形態における情報機器端末１は一例として携帯電話であるが、本考案はそのような携帯電話に限らず、携帯型音楽プレーヤ、小型ラジオ、携帯型無線通信装置等、その他のあらゆる情報機器端末に対して適用可能である。
【符号の説明】
【００３７】
１    情報機器端末
１ａ  情報機器端末の下側面
１０、２０、３０  ストラップ取付具
１１    第一挿入部
１２    第二挿入部
１２ａ  第二挿入部の係合穴
１２ｂ  第二挿入部のダミー接点
１３  連結部
１４、２４、３４  ストラップ取付部
１５  ストラップ
７３  イヤホンプラグ挿入孔
７４  小孔
７５  コネクタ挿入孔
７６  イヤホンジャック
７６ａ  イヤホンジャックの係合部（第一の係合部）
７７    コネクタ受承部
７７ａ  コネクタ受承部の係合部（第二の係合部）
８０    イヤホンプラグ
８１    外部機器接続用コネクタ
８２    コネクタ片
８２ａ  コネクタ片の係合穴
８２ｂ  コネクタ片の接点
【図１】
0003180740.tif 000003
【図２】
0003180740.tif 000004
【図３】
0003180740.tif 000005
【図４】
0003180740.tif 000006
【図５】
0003180740.tif 000007